(57)【要約】【課題】給水ホースの取り扱いが容易である給水ホースの収納構造およびこれを備えたユニットバスを提供する。【解決手段】給水ホースの収納構造は、浴室と浴室に隣接する隣接室との間仕切を通じて浴室内に導入され、かつ浴室内に設けられた浴槽の残り湯を、吸込口を通じて洗濯機に給水する給水ホースの収納構造である。給水ホースの収納構造は、浴室内に設けられたケース本体６を備える。ケース本体６は、給水ホースの使用時には、給水ホースの部分１ａを収納し、部分１ａよりも先端側の部分である部分１ｂを収納しない。ケース本体６は、給水ホースの収納時には、給水ホースの部分１ａおよび１ｂを収納する。【選択図】図３
2014020172.tif 000002
【特許請求の範囲】
【請求項１】
浴室と前記浴室に隣接する隣接室との間仕切を通じて前記浴室内に導入され、かつ前記浴室内に設けられた浴槽の残り湯を、吸込口を通じて洗濯機に給水する給水ホースの収納構造であって、
前記浴室内に設けられた収納部を備え、
前記収納部は、給水ホースの使用時には、給水ホースの第１の部分を収納し、前記第１の部分よりも先端側にある給水ホースの第２の部分を収納せず、
前記収納部は、給水ホースの収納時には、前記第１および前記第２の部分を収納する、給水ホースの収納構造。
【請求項２】
前記収納部は、収納されている状態の給水ホースが使用される際に、前記収納部の内部から前記収納部の外部へ前記第２の部分を通過させるホース引出口を含む、請求項１に記載の給水ホースの収納構造。
【請求項３】
前記ホース引出口に設けられ、給水ホースの収納時に前記吸込口を保持する吸込口保持部をさらに備えた、請求項２に記載の給水ホースの収納構造。
【請求項４】
前記吸込口保持部は、勾配のある底面を含む、請求項３に記載の給水ホースの収納構造。
【請求項５】
前記収納部は、前記隣接室から前記収納部の内部へ前記給水ホースを導入するためのさや管を連結するための連結部を含む、請求項１〜４のいずれかに記載の給水ホースの収納構造
【請求項６】
前記収納部は、前記収納部の内部と前記収納部の外部とを連通する連通孔であって、上部に形成された連通孔を含む、請求項１〜５のいずれかに記載の給水ホースの収納構造。
【請求項７】
前記収納部は、前記浴室内に設けられた浴室壁と前記間仕切との間に設けられる、請求項１〜６のいずれかに記載の給水ホースの収納構造。
【請求項８】
前記収納部は、前記浴槽と前記間仕切と前記浴槽のエプロン部とで構成された空間に設けられる、請求項１〜６のいずれかに記載の給水ホースの収納構造。
【請求項９】
前記収納部は、前記浴室内に設けられた浴室壁の側面から突出したカウンターと、前記カウンターの下部に設けられ、上部に開口が形成された筐体とを含み、
前記筐体は、前記筐体の開口が前記カウンターによって覆われた第１の位置と、前記筐体の開口が前記カウンターによって覆われない第２の位置との間で移動可能である、請求項１〜６のいずれかに記載の給水ホースの収納構造。
【請求項１０】
前記浴槽と、
前記浴室内に設けられた浴室壁と、
請求項１〜９のいずれかに記載の給水ホースの収納構造とを備えた、ユニットバス。
【発明の詳細な説明】
【技術分野】
【０００１】
本発明は、給水ホースの収納構造およびこれを備えたユニットバスに関し、より特定的には、浴室と浴室に隣接する隣接室との間仕切を通じて浴室内に導入され、かつ浴室内に設けられた浴槽の残り湯を、吸込口を通じて洗濯機に給水する給水ホースの収納構造およびこれを備えたユニットバスに関する。
【背景技術】
【０００２】
水資源を節約するために、浴槽の残り湯を洗濯に再利用することが広く行われている。近年の洗濯機は、給水ポンプを搭載している。洗濯機は、給水ポンプの動力によって、給水ホースを通じて浴槽の残り湯を洗濯機に給水する。
【０００３】
残り湯の給水時には、給水ホースは、その根元が洗濯機の給水口に取り付けられ、その先端が浴槽の残り湯の中にセットされる。洗濯機は、通常、浴室とは別の部屋に設けられるので、給水ホースは、洗濯機のある部屋から浴室の出入口を通じて浴室内に導入される。このため、給水ホースの使用時には、浴室の出入口のドアを閉めることができず、残り湯の湯気が浴室外へ漏れていた。
【０００４】
給水ホースの収納時には、給水ホースは、丸めた状態で洗濯機の付近などに収納される。給水ホースの使用後には、給水ホースの外部は残り湯で濡れており、給水ホースの内部にも残り湯が残留している。このため、使用者は収納前に浴室内において給水ホースの水切りを行う必要があり、給水ホースの取り扱いが煩雑であった。
【０００５】
さらに、給水ホースを使用する度に、使用者は浴室内および浴室外の両方において、給水ホースをセットする作業および給水ホースを収納する作業を行う必要があり、給水ホースの取り扱いが煩雑であった。
【０００６】
これらの問題を解決するために、様々な残り湯再利用システムが考案されてきたが、いずれも高価な装置や工事を必要とした。
【０００７】
ここで、下記特許文献１は、従来の給水ホースの収納構造に関する技術を開示している。下記特許文献１は、浴室と洗濯機配置室との間仕切にホース挿通孔を設け、ホース挿通孔中に浴槽ポンプ収納部を設けた浴槽ポンプホース挿通構造を開示している。
【０００８】
下記特許文献１の技術によれば、給水ホースは、浴室と洗濯機設置室との間仕切に設けられたホース挿通孔を通じて浴室内に導入されるので、給水ホースの使用時に浴室の出入口のドアを閉めることができ、残り湯の湯気が浴室外へ漏れるのを防止することができる。また、給水ホースの収納時には、給水ホースの先端（浴槽ポンプ）をホース挿通孔中の浴槽ポンプ収納部に収納することができ、給水ホースをセットする作業および給水ホースを収納する作業が容易になる。
【先行技術文献】
【特許文献】
【０００９】
【特許文献１】特開２０１０−７３１６号公報
【発明の概要】
【発明が解決しようとする課題】
【００１０】
特許文献１の技術では、給水ホースの収納時には、浴室内にある給水ホースの部分が洗濯機設置室側に送られるので、使用者は収納前に浴室内において給水ホースの水切りを行う必要があった。また、使用者は浴室内および浴室外の両方において、給水ホースをセットする作業および給水ホースを収納する作業を行う必要があった。このため、給水ホースの取り扱いが煩雑であるという問題が依然として生じていた。
【００１１】
本発明は、上記課題を解決するためのものであり、その目的は、給水ホースの取り扱いが容易である給水ホースの収納構造およびこれを備えたユニットバスを提供することである。
【課題を解決するための手段】
【００１２】
本発明の一の局面に従う給水ホースの収納構造は、浴室と浴室に隣接する隣接室との間仕切を通じて浴室内に導入され、かつ浴室内に設けられた浴槽の残り湯を、吸込口を通じて洗濯機に給水する給水ホースの収納構造であって、浴室内に設けられた収納部を備え、収納部は、給水ホースの使用時には、給水ホースの第１の部分を収納し、第１の部分よりも先端側にある給水ホースの第２の部分を収納せず、収納部は、給水ホースの収納時には、第１および第２の部分を収納する。
【００１３】
上記給水ホースの収納構造において好ましくは、収納部は、収納されている状態の給水ホースが使用される際に、収納部の内部から収納部の外部へ第２の部分を通過させるホース引出口を含む。
【００１４】
上記給水ホースの収納構造において好ましくは、ホース引出口に設けられ、給水ホースの収納時に吸込口を保持する吸込口保持部をさらに備える。
【００１５】
上記給水ホースの収納構造において好ましくは、吸込口保持部は、勾配のある底面を含む。
【００１６】
上記給水ホースの収納構造において好ましくは、収納部は、隣接室から収納部の内部へ給水ホースを導入するためのさや管を連結するための連結部を含む。
【００１７】
上記給水ホースの収納構造において好ましくは、収納部は、収納部の内部と収納部の外部とを連通する連通孔であって、上部に形成された連通孔を含む。
【００１８】
上記給水ホースの収納構造において好ましくは、収納部は、浴室内に設けられた浴室壁と間仕切との間に設けられる。
【００１９】
上記給水ホースの収納構造において好ましくは、収納部は、浴槽と間仕切と浴槽のエプロン部とで構成された空間に設けられる。
【００２０】
上記給水ホースの収納構造において好ましくは、収納部は、浴室内に設けられた浴室壁の側面から突出したカウンターと、カウンターの下部に設けられ、上部に開口が形成された筐体とを含み、筐体は、筐体の開口がカウンターによって覆われた第１の位置と、筐体の開口がカウンターによって覆われない第２の位置との間で移動可能である。
【００２１】
本発明の他の局面に従うユニットバスは、浴槽と、浴室内に設けられた浴室壁と、上述のいずれかの給水ホースの収納構造とを備える。
【発明の効果】
【００２２】
本発明によれば、給水ホースの取り扱いが容易である給水ホースの収納構造およびこれを備えたユニットバスを提供することができる。
【図面の簡単な説明】
【００２３】
【図１】本発明の第１の実施の形態における給水ホースの設置経路を模式的に示す断面図である。
【図２】図１に示す給水ホースの収納構造１００の構造を模式的に示す図である。
【図３】収納時および使用時の各々における給水ホース１の状態を模式的に示す図である。
【図４】図２に示す吸込口収納ボックス４の拡大図である。
【図５】本発明の第２の実施の形態における給水ホースの収納構造１００が設けられた浴室１１を模式的に示す断面図である。
【図６】本発明の第３の実施の形態における給水ホースの収納構造１００が設けられた浴室１１を模式的に示す断面図である。
【図７】本発明の第３の実施の形態において、筐体３１が開いた位置にある場合の筐体３１付近の構造を模式的に示す断面図である。
【図８】本発明の第３の実施の形態における使用時の給水ホース１の状態を模式的に示す図である。
【発明を実施するための形態】
【００２４】
以下、本発明の実施の形態について、図面に基づいて説明する。
【００２５】
［第１の実施の形態］
図１は、本発明の第１の実施の形態における給水ホースの設置経路を模式的に示す断面図である。
【００２６】
図１を参照して、住宅には、浴室１１と脱衣室１２（隣接室の一例）とが互いに隣接して形成されている。浴室１１は図１中左側に設けられており、脱衣室１２は図１中右側に設けられている。浴室１１と脱衣室１２とは間仕切１４ａによって隔たれている。間仕切１４ａは浴室１１を区切っている。間仕切１４ａは、浴室出入口１１ａ（図６（ａ））の部分が途切れており、浴室出入口１１ａを通じて、人は浴室１１と脱衣室１２との間を移動可能である。
【００２７】
浴室１１内にはユニットバス１９が設置されている。ユニットバス１９は、浴槽３と、給水ホースの収納構造１００と、浴室壁１３とを主に備えている。浴室壁１３は、浴室１１の形状に対応する直方体の形状を有しており、浴室１１内の側面、上面、および底面の一部を覆っている。浴槽３は浴室壁１３で覆われていない底面の部分の上に設けられている。給水ホースの収納構造１００は、浴室１１内において、浴室１１の側面を覆っている浴室壁１３と、間仕切１４ａとの間に設けられている。
【００２８】
脱衣室１２は洗濯機設置室であり、脱衣室１２内には給水ポンプを搭載した洗濯機１０が設置されている。洗濯機１０には給水ホース１が接続されている。給水ホース１は、浴槽３の残り湯を、吸込口２を通じて洗濯機１０に給水するホースである。洗濯機１０の上面には給水口（図示無し）が設けられており、給水継ぎ手９によって、給水ホース１の根元が洗濯機１０の給水口に取り付けられている。洗濯機１０付近の間仕切１４ｂには、洗濯機側ボックス８が設けられている。給水ホース１は、洗濯機１０の給水口から洗濯機側ボックス８の内部へ導入されている。
【００２９】
洗濯機側ボックス８を設ける位置は、任意であるが、洗濯機１０の最寄りの間仕切１４ｂ（壁面）や床面であることが好ましい。洗濯機側ボックス８を設ける位置は、取り扱いの容易性や美観などを考慮して決定される。
【００３０】
洗濯機側ボックス８の底面にはさや管７が取り付けられている。さや管７は、間仕切１４ｂの内部において洗濯機側ボックス８から下方に向かって延在しており、脱衣室１２の床１５よりもわずかに下の位置で浴室１１側に折れ曲がっている。さや管７は、床１５の下において浴室１１に向かって延在し、間仕切１４ａに設けられた貫通孔１６を通じて浴室１１内に導入され、給水ホースの収納構造１００に接続されている。給水ホース１は、脱衣室１２から洗濯機側ボックス８およびさや管７内を通って（間仕切１４ａを通じて）給水ホースの収納構造１００へ導入されている。
【００３１】
給水ホース１やさや管７は、たとえばユニットバス１９を浴室１１内に設置する際や、洗濯機１０を脱衣室１２に設置する際などに、設置業者などによって設置される。
【００３２】
なお、洗濯機側ボックス８が設けられる間仕切は、浴室１１と脱衣室１２とを隔てる間仕切１４ａであってもよいし、間仕切１４ａとは異なる間仕切であってもよい。給水ホース１は、少なくとも浴室１１と脱衣室１２との間仕切１４ａを貫通していればよく、洗濯機の設置場所や給水ホースの設置経路は任意である。
【００３３】
さや管７内に存在する給水ホース１は、さや管７によってその移動が制限される。したがって、使用時に浴室１１内（貫通孔１６よりも図１中左側）に存在している給水ホース１の部分は、収納時においても脱衣室１２側に引っ張られることはなく、常に浴室１１内に存在している。
【００３４】
図２は、図１に示す給水ホースの収納構造１００の構造を模式的に示す図である。図２において、（ａ）は平面図であり、（ｂ）は背面図であり、（ｃ）は左側面図であり、（ｄ）は正面図であり、（ｅ）は、浴室壁１３に取り付けられた状態の給水ホースの収納構造１００の、（ｄ）のＹ−Ｙ線に沿う断面図であり、（ｆ）は右側面図であり、（ｇ）は底面図である。
【００３５】
なお、説明の便宜のため、図２（ａ）、（ｂ）、および（ｄ）では、さや管７の一部が示されている。図２（ｂ）では、吸込口収納ボックス４の存在する位置が点線で示されている。
【００３６】
図２を参照して、給水ホースの収納構造１００は、ケース本体６（収納部の一例）と、吸込口収納ボックス４とを含んでいる。ケース本体６は、浴室壁１３と間仕切１４ａとの間に設けられている。ケース本体６は、正面から見た場合に、下部が半円状に湾曲した矩形を有している。ケース本体６は給水ホース１が収納できる程度の厚み（図２（ｃ）中横方向の長さ）を有している。
【００３７】
ケース本体６の下部が半円状に湾曲することにより、収納時にホースを円滑に移動させることができ、給水ホース１が絡まりにくくなる。また、給水ホース１を新たに設置する際に、給水ホース１の引き込みのための呼び線の導入が容易になり、施工が易くなる。
【００３８】
ケース本体６の両側面（図２（ｃ）および（ｆ）で見えている面）の各々には、さや管７を連結するための連結部１７が設けられている。さや管７は、２つの連結部１７のうちいずれか一方（さや管７に近い側の連結部１７）に接続される。さや管７内の給水ホース１は、さや管７が取り付けられた側の連結部１７を通ってケース本体６内に導入される。なお、連結部１７はケース本体６の一方の側面のみに設けられていてもよいし、側面以外の場所に設けられていてもよい。給水ホース１は、移動を防ぐために連結部１７付近でクリップなどで固定されてもよい。
【００３９】
ケース本体６に連結部１７を設けることで、洗濯機１０と浴室１１とが離れていても、さや管７を用いて洗濯機１０からケース本体６内まで給水ホース１を導入することができる。
【００４０】
ケース本体６は、正面上部に形成されたホース引出口６ｃ（通過孔の一例）を含んでいる。ホース引出口６ｃは、ケース本体６の内部と外部とを連通している。ホース引出口６ｃはたとえば矩形状を有している。ホース引出口６ｃには、吸込口収納ボックス４（吸込口保持部の一例）が設けられている。吸込口収納ボックス４は、たとえば直方体の形状を有しており、ケース本体６よりも大きい厚みを有している。吸込口収納ボックス４は、図２（ｅ）に示すように、ホース引出口６ｃに嵌め込まれた状態で、ケース本体６から前方に突出した突出部分４ａを含んでいる。突出部分４ａは浴室壁１３の取付孔１３ａと係合しており、それによってケース本体６は浴室壁１３に固定されている。
【００４１】
ケース本体６は、図２（ａ）に示すように、上部に形成された２つの連通孔６ｂを含んでいる。連通孔６ｂの各々は、ケース本体６の内部と外部とを連通している。連通孔６ｂの個数は任意である。
【００４２】
連通孔６ｂを設けることにより、給水ホース１を乾燥させ易くなる。すなわち、浴室１１内の換気扇を運転した場合に、連通孔６ｂからケース本体６内へ空気が流入し、給水ホース１の乾燥が促される。
【００４３】
図３は、収納時および使用時の各々における給水ホース１の状態を模式的に示す図である。（ａ）は、収納時の給水ホース１の状態を示す図であり、（ｂ）は、使用時の給水ホース１の状態を示す図である。ケース本体６の内部にある給水ホース１は点線で示されている。
【００４４】
図３（ａ）を参照して、収納時には、給水ホース１における連結部１７の位置よりも先端側の部分１ａおよび１ｂは、ケース本体６内に収納される。部分１ｂは部分１ａよりも給水ホース１の先端側の部分である。給水ホース１の先端の吸込口２は、吸込口収納ボックス４内に配置され、吸込口収納ボックス４によって保持される。なお、吸込口２は、ケース本体６外（たとえば浴室壁１３に設けられたフックなど）に保持されてもよい。
【００４５】
収納された状態の給水ホース１を使用する際、使用者は、吸込口収納ボックス４の蓋部５を開けて、吸込口収納ボックス４から吸込口２を取出し、浴槽３の残り湯の中にセットする。給水ホース１における部分１ｂは、ホース引出口６ｃを通過してケース本体６の内部から外部へ引き出される。
【００４６】
図３（ｂ）を参照して、使用時には、給水ホース１における部分１ｂは、ケース本体６の外部に存在している。一方、給水ホース１における部分１ａ（図３（ｂ）中点線部分）は、連結部１７とホース引出口６ｃとの間に存在しており、ケース本体６内に収納されたままである。洗濯機１０は、吸込口２から浴槽３の残り湯を吸い込み、給水ホース１を通じて洗濯機１０へ給水する。
【００４７】
なお、吸込口２と給水ホース１とは、たとえばねじ込み式にて着脱を行うことができる。給水ホース１は、切断することにより長さの調節が可能である。給水ホース１の長さを調節する際には、給水ホース１の根元が洗濯機１０に接続され、洗濯機１０からさや管７およびケース本体６を経由して浴室１１内に導入される。この状態で吸込口２の位置が浴槽３の残り湯の中にセット可能な位置となるように、余分な給水ホース１は切断される。
【００４８】
図４は、図２に示す吸込口収納ボックス４の拡大図である。（ａ）は平面図、（ｂ）は左側面図、（ｃ）は正面図、（ｄ）は（ｃ）中のＹ−Ｙ線に沿った断面図である。なお図４では、必要に応じて、給水ホース１、ケース本体６、または浴室壁１３が点線で示されている。
【００４９】
図４を参照して、吸込口収納ボックス４は、ホースガイドローラー２１および２２と、軸受部２３と、蓋部５とを含んでいる。ホースガイドローラー２１および２２は、吸込口収納ボックス４における正面から見て左側に配置されている。ホースガイドローラー２１は、吸込口収納ボックス４の側壁面と軸受部２３との間に設けられた回転軸を中心として回転可能である。ホースガイドローラー２２は、吸込口収納ボックス４の上壁面と軸受部２３との間に設けられた回転軸を中心として回転可能である。
【００５０】
ホースガイドローラー２１および２２を設けることにより、給水ホース１の使用時および収納時に、給水ホース１を円滑に移動させることができる。特に、給水ホース１の下部に設けられるホースガイドローラー２１を、吸込口収納ボックス４の側壁面から軸受部２３へ向かってその直径を減じるテーパー状の形状とすることにより、給水ホース１を円滑に移動させることができる。
【００５１】
吸込口収納ボックス４の底面には勾配が設けられており、この勾配によって脱衣室側（図４（ｂ）中左側）よりも浴室側（図４（ｂ）中右側）の方が低くなっている。これにより、吸込口収納ボックス４内の排水が容易になる。
【００５２】
蓋部５は、吸込口収納ボックス４の前面に設けられている。蓋部５は回転軸５ａを中心として回転可能である。これにより、吸込口収納ボックス４は、ケース本体６の外部に対して吸込口収納ボックス４の内部を露出した状態（蓋部５を開いた状態）と、ケース本体６の外部と吸込口収納ボックス４の内部とを蓋部５で隔てた状態（蓋部５を閉じた状態）との両方をとることができる。蓋部５の下端部の中央には、蓋部５を開きやすくするための手掛り５ｂが設けられている。
【００５３】
収納した状態の給水ホース１を使用時には、給水ホース１は吸込口収納ボックス４を通じてケース本体６の外部に引き出されるため、蓋部５は開いた状態となる。一方、給水ホース１の収納時には、給水ホース１の吸込口２は吸込口収納ボックス４内に収納されるので、蓋部５は閉じた状態となる。
【００５４】
吸込口収納ボックス４とケース本体６とを分離する（別体で形成する）ことにより、施工性を高め、給水ホース１の設置や施工を簡単に行うことができる。加えて、劣化したホースの交換の際には、吸込口収納ボックス４をケース本体６から取り外すことで、劣化したホースの交換が容易になる。さらに、吸込口収納ボックス４よりもケース本体６上部の位置が高い場合には、万が一、給水ホース１が劣化して漏水が起きても、漏水は蓋部５から浴室１１内に湧出す。その結果、漏水を容易に感知することができる。
【００５５】
本実施の形態によれば、浴槽内において給水ホースの出し入れを行うことができるので、脱衣室を濡らすことがなくなり、給水ホースの水切りが不要になる。その結果、給水ホースの取り扱いが容易になる。また、給水ホースの先端部が浴室内に設けられたケース本体に収納されるので、給水ホースを簡単に片付けることができる。さらに、間仕切に設けられた貫通孔を通じて給水ホースが浴室内に導入されるので、給水ホースの使用時にも浴室の出入口のドアを閉めることができ、残り湯の湯気が浴室外へ漏れるのを抑止できる。その結果、洗濯機と浴槽との位置関係に関わらず、残り湯の利用を快適に行うことができる。
【００５６】
［第２の実施の形態］
図５は、本発明の第２の実施の形態における給水ホースの収納構造１００が設けられた浴室１１を模式的に示す断面図である。（ａ）は、給水ホース１の収納時を示す断面図であり、（ｂ）は、給水ホース１の使用時を示す断面図であって、（ａ）における矢印Ｘで示す方向に沿って浴槽を見た場合の断面図である。（ｂ）では、説明の便宜のため、給水ホース１の一部とケース本体６とが点線で示されている。
【００５７】
図５を参照して、本実施の形態の給水ホースの収納構造１００において、ケース本体６は、浴槽３と間仕切１４ａと浴槽３のエプロン部１８とで構成された空間に設けられている。さや管７は、ケース本体６の内部に挿入されている。吸込口収納ボックス４は、ケース本体６の外面に固定されており、ホース引出口６ｃと連通している。吸込口収納ボックス４は、浴槽３のエプロン部１８に形成された取付孔１８ａと係合しており、それによってケース本体６はエプロン部１８に固定されている。
【００５８】
ケース本体６内には、さや管７から延在する給水ホース１を吸込口収納ボックス４まで導くためのガイド車６ａが適宜設けられていてもよい。特にガイド車６ａが円筒形を有している場合には、給水ホース１における余分な長さの部分をガイド車６ａに巻き付けることにより、給水ホース１の長さが調節されてもよい。なお、ケース本体６が設けられず、浴槽３と間仕切１４ａと浴槽３のエプロン部１８とによってケース本体が構成されてもよい。
【００５９】
収納時には、（ａ）に示すように、給水ホース１の部分１ａおよび１ｂは、ケース本体６内に収納される。給水ホース１の先端の吸込口２は、吸込口収納ボックス４内に配置され、吸込口収納ボックス４によって保持される。
【００６０】
収納された状態の給水ホース１を使用する際、（ｂ）に示すように、使用者は、吸込口収納ボックス４の蓋部５を開けて、吸込口収納ボックス４から吸込口２を取出し、浴槽３の残り湯の中にセットする。給水ホース１における部分１ｂは、ホース引出口６ｃを通ってケース本体６の内部から外部へ引き出され、エプロン部１８を跨ぐ。
【００６１】
使用時には、給水ホース１における部分１ｂは、ケース本体６の外部に存在している。一方、給水ホース１における部分１ａは、さや管７とホース引出口６ｃとの間に存在しており、ケース本体６内に収納されたままである。
【００６２】
なお、上述以外の給水ホースの収納構造や給水ホースの設置経路などの構成は、第１の実施の形態の場合の構成と同一であるので、同一の部材には同一の符号を付し、その説明は繰り返さない。
【００６３】
本実施の形態によれば、ケース本体６が浴槽３と間仕切１４ａとエプロン部１８との間に設けられるので、浴槽３の形状に起因するデットスペースを給水ホースの収納構造１００として利用することができる。また、浴槽３に近い位置にケース本体６が設けられるので、使用時に給水ホースの吸込口２を浴槽３の残り湯の中にセットすることが容易になる。
【００６４】
［第３の実施の形態］
図６は、本発明の第３の実施の形態における給水ホースの収納構造１００が設けられた浴室１１を模式的に示す断面図である。（ａ）は平面図であり、（ｂ）は断面図である。
【００６５】
図６を参照して、本実施の形態では、浴室１１内に設けられた浴室壁１３の側面からカウンター３２が突出している。カウンター３２の下には筐体３１が設けられている。筐体３１の上部には開口３１ａが形成されている。筐体３１とカウンター３２とによってケース本体が構成されている。
【００６６】
間仕切１４ａの貫通孔１６を貫通した給水ホース１は、浴槽３と間仕切１４ａとエプロン部１８とで構成された空間に下方から導入されており、その後、エプロン部１８に形成された貫通孔１８ｂから筐体３１内へ導入されている。
【００６７】
筐体３１は、閉じた位置と開いた位置との間で移動可能である。図６では、筐体３１は閉じた位置に存在する。筐体３１が閉じた位置に存在する場合、開口３１ａはカウンター３２によって覆われる。収納時には、給水ホース１の先端は、閉じた位置にある筐体３１内に収納される。
【００６８】
図７は、本発明の第３の実施の形態において、筐体３１が開いた位置にある場合の筐体３１付近の構造を模式的に示す断面図である。
【００６９】
図７を参照して、筐体３１が開いた位置に存在する場合、開口３１ａはカウンター３２によって覆われず、ユニットバス１９の空間内に露出される。
【００７０】
筐体３１は、（ａ）に示すように、カウンター３２に対して矢印ＡＲ１で示す方向（カウンター３２の延在方向）に引き出される（スライドする）ことにより、開いた位置まで移動するものであってもよい。また筐体３１は、（ｂ）に示すように、カウンター３２に対して回転軸を中心に矢印ＡＲ２で示す方向に傾斜する（チルトする）ことにより、開いた位置まで移動するものであってもよい。
【００７１】
収納時には、給水ホース１におけるさや管７よりも先端側の部分１ａおよび１ｂは、筐体３１内に配置される。給水ホース１の吸込口２は、筐体３１によって保持される。
【００７２】
収納された状態の給水ホース１を使用する際、図７（ａ）または（ｂ）に示すように、使用者は、筐体３１を開いた位置まで移動させ、筐体３１から吸込口２を取出し、浴槽３の残り湯の中にセットする。
【００７３】
図８は、本発明の第３の実施の形態における使用時の給水ホース１の状態を模式的に示す図である。なお図８は、筐体３１の正面（図７（ａ）中矢印Ｚで示す方向に沿った方向）から見た図である。
【００７４】
図８を参照して、使用時には、吸込口２が浴槽３の残り湯の中にセットされる。給水ホース１における部分１ｂは、筐体３１の外部に存在している。給水ホース１における部分１ｂは、筐体３１の開口３１ａを通って筐体３１の外部へ引き出され、エプロン部１８を跨ぐ。一方、給水ホース１における部分１ａは、筐体３１内に収納されたままである。
【００７５】
なお、上述以外の給水ホースの収納構造や給水ホースの設置経路などの構成は、第１の実施の形態の場合の構成と同一であるので、同一の部材には同一の符号を付し、その説明は繰り返さない。
【００７６】
本実施の形態によれば、筐体３１と、その開口３１ａを覆うカウンター３２とによりケース本体が構成されるので、カウンター３２の形状に起因するデットスペースを給水ホースの収納構造１００として利用することができる。
【００７７】
給水ホースの収納構造は、上述のようにユニットバスと一体化していてもよいし、新設の浴室（在来工法）を含み、既設の浴室またはユニットバスに対して追設されるものであってもよい。
【００７８】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７９】
１  給水ホース
１ａ，１ｂ  給水ホースの部分
２  吸込口
３  浴槽
４  吸込口収納ボックス
４ａ  吸込口収納ボックスの突出部分
５  蓋部
５ａ  蓋部の回転軸
５ｂ  手掛り
６  ケース本体
６ａ  ガイド車
６ｂ  ケース本体の連通孔
６ｃ  ケース本体のホース引出口
７  さや管
８  洗濯機側ボックス
９  給水継ぎ手
１０  洗濯機
１１  浴室
１１ａ  浴室出入口
１２  脱衣室
１３  浴室壁
１３ａ  浴室壁の取付孔
１４ａ，１４ｂ  間仕切
１５  脱衣室の床
１６  間仕切の貫通孔
１７  ケース本体の連結部
１８  浴槽のエプロン部
１８ａ  エプロン部の取付孔
１８ｂ  エプロン部の貫通孔
１９  ユニットバス
２１，２２  ホースガイドローラー
２３  軸受部
３１  筐体
３１ａ  筐体の開口
３２  カウンター
１００  給水ホースの収納構造
【図１】
2014020172.tif 000003
【図２】
2014020172.tif 000004
【図３】
2014020172.tif 000005
【図４】
2014020172.tif 000006
【図５】
2014020172.tif 000007
【図６】
2014020172.tif 000008
【図７】
2014020172.tif 000009
【図８】
2014020172.tif 000010